【手続補正書】
【提出日】平成20年8月26日(2008.8.26)
【手続補正１】
【補正対象書類名】明細書
【補正対象項目名】特許請求の範囲
【補正方法】変更
【補正の内容】
【特許請求の範囲】
【請求項１】  第１のデバイスと、これに関連する電子データカードを備える第２のデバイスとからなるシステムであって、前記電子データカードの情報は前記第１のデバイスにより使用およびアクセス可能であり、前記第１のデバイスが、前記第２のデバイスの前記電子データカードの動作特性を無線リンクを介して制御するように構成されていることを特徴とするシステム。
【請求項２】  請求項１に記載のシステムにおいて、前記第１のデバイスが、前記電子データカードへの電源供給を制御することにより前記電子データカードの動作特性を制御するよう構成されていることを特徴とするシステム。
【請求項３】  請求項１または２に記載のシステムにおいて、前記第１のデバイスが、前記電子データカードの電源をオンにすることにより、前記電子データカードの動作特性を制御するよう構成されていることを特徴とするシステム。
【請求項４】  請求項１乃至３の何れかに記載のシステムにおいて、前記第１のデバイスが、前記電子データカードの電源をオフにすることにより、前記電子データカードの動作特性を制御するよう構成されていることを特徴とするシステム。
【請求項５】  請求項１乃至４の何れかに記載のシステムにおいて、前記第１のデバイスが、前記電子データカードをリセットすることにより前記電子データカードの動作特性を制御するよう構成されていることを特徴とするシステム。
【請求項６】  請求項１乃至５の何れかに記載のシステムにおいて、前記第１のデバイスが、前記第２のデバイスの前記電子データカードのクロック速度を変更することにより前記電子データカードの動作特性を制御するよう構成されていることを特徴とするシステム。
【請求項７】  請求項１乃至６の何れかに記載のシステムにおいて、前記第１のデバイスが、前記第２のデバイスの前記電子データカードのボーレートを変更することにより前記電子データカードの動作特性を制御するよう構成されていることを特徴とするシステム。
【請求項８】  請求項１乃至７の何れかに記載のシステムにおいて、前記電子データカードが、加入者識別モジュール（ＳＩＭ）カードであることを特徴とするシステム。
【請求項９】  請求項１乃至７の何れかに記載のシステムにおいて、前記電子データカードが、キャッシュカードであることを特徴とするシステム。
【請求項１０】  請求項１乃至７の何れかに記載のシステムにおいて、前記電子データカードが、セキュリティカードであることを特徴とするシステム。
【請求項１１】  請求項１乃至１０の何れかに記載のシステムにおいて、前記第１および第２のデバイスの少なくとも１つが、無線通信デバイスであることを特徴とするシステム。
【請求項１２】  請求項１乃至１０の何れかに記載のシステムにおいて、前記第１および第２のデバイスが無線通信デバイスであることを特徴とするシステム。
【請求項１３】  請求項１乃至１０の何れかに記載のシステムにおいて、前記第１および第２のデバイスの少なくとも１つが、無線電話デバイスであることを特徴とするシステム。
【請求項１４】  請求項１乃至１０の何れかに記載のシステムにおいて、前記第１および第２のデバイスが無線電話デバイスであることを特徴とするシステム。
【請求項１５】  請求項１乃至１４の何れかに記載のシステムにおいて、前記無線リンクは低電力無線周波数リンクであることを特徴とするシステム。
【請求項１６】  第１のデバイスに関連する電子データカードを備える第２のデバイスと共に動作可能な前記第１のデバイスを有する装置であって、前記第２のデバイスの前記電子データカードの情報は、前記第１のデバイスにより使用およびアクセス可能であり、前記第１のデバイスが、前記第２のデバイスの前記電子データカードの動作特性を無線リンクを介して制御するように構成されていることを特徴とする装置。
【請求項１７】  請求項１６に記載の装置において、前記第１のデバイスが、前記電子データカードへの電力供給を制御することによって前記第２のデバイスの前記電子データカードの前記動作特性を制御するように構成されていることを特徴とする装置。
【請求項１８】  請求項１６または１７に記載の装置において、前記第１のデバイスが、前記電子データカードの電源をオンにすることにより前記第２のデバイスの前記電子データカードの前記動作特性を制御するように構成されていることを特徴とする装置。
【請求項１９】  請求項１６乃至１８の何れかに記載の装置において、前記第１のデバイスが、前記電子データカードの電源をオフにすることにより前記第２のデバイスの前記電子データカードの前記動作特性を制御するように構成されていることを特徴とする装置。
【請求項２０】  請求項１６乃至１９の何れかに記載の装置において、前記第１のデバイスが、前記電子データカードをリセットすることにより前記第２のデバイスの前記電子データカードの前記動作特性を制御するように構成されていることを特徴とする装置。
【請求項２１】  請求項１６乃至２０の何れかに記載の装置において、前記第１のデバイスが、前記第２のデバイスの前記電子データカードのクロック速度を変更することにより前記電子データカードの前記動作特性を制御するよう構成されていることを特徴とする装置。
【請求項２２】  請求項１６乃至２１の何れかに記載の装置において、前記第１のデバイスが、前記第２のデバイスの前記電子データカードのボーレートを変更することにより前記電子データカードの前記動作特性を制御するように構成されていることを特徴とする装置。
【請求項２３】  請求項１６乃至２２の何れかに記載の装置において、前記電子データカードが、加入者識別モジュール（ＳＩＭ）カードであることを特徴とするシステム。
【請求項２４】  請求項１６乃至２２の何れかに記載の装置において、前記電子データカードが、キャッシュカードであることを特徴とするシステム。
【請求項２５】  請求項１６乃至２２の何れかに記載の装置において、前記電子データカードが、セキュリティカードであることを特徴とするシステム。
【請求項２６】  請求項１６乃至２５の何れかに記載の装置において、前記無線リンクは低電力無線周波数リンクであることを特徴とするシステム。
【請求項２７】  自己に関連する電子データカードを備えた第１のデバイスを有する装置であって、前記第１のデバイスは、第２のデバイスと共に動作可能であり、前記第１のデバイスの前記電子データカードの情報は、前記第２のデバイスにより使用およびアクセス可能であり、前記第１のデバイスの前記電子データカードの動作特性が、無線リンクを介して前記第２のデバイスにより制御されるように、前記第１のデバイスが構成されることを特徴とする装置。
【請求項２８】  請求項２７に記載の装置において、前記第２のデバイスが前記電子データカードへの電力供給を制御することにより前記電子データカードの前記動作特性を制御するように構成されていることを特徴とする装置。
【請求項２９】  請求項２７または２８に記載の装置において、前記第２のデバイスが、前記電子データカードの電源をオンにすることにより前記電子データカードの前記動作特性を制御するように構成されていることを特徴とする装置。
【請求項３０】  請求項２７乃至２９の何れかに記載の装置において、前記第２のデバイスが、前記電子データカードの電源をオフにすることにより前記電子データカードの前記動作特性を制御するように構成されていることを特徴とする装置。
【請求項３１】  請求項２７乃至３０の何れかに記載の装置において、前記第２のデバイスが、前記電子データカードをリセットすることにより前記電子データカードの前記動作特性を制御するように構成されていることを特徴とする装置。
【請求項３２】  請求項２７乃至３１の何れかに記載の装置において、前記第２のデバイスが、前記第１のデバイスの前記電子データカードのクロック速度を変更することにより前記電子データカードの前記動作特性を制御するように構成されていることを特徴とする装置。
【請求項３３】  請求項２７乃至３２の何れかに記載の装置において、前記第２のデバイスが、前記第１のデバイスの前記電子データカードのボーレートを変更することにより前記電子データカードの前記動作特性を制御するように構成されていることを特徴とする装置。
【請求項３４】  請求項２７乃至３３の何れかに記載の装置において、前記電子データカードが、加入者識別モジュール（ＳＩＭ）カードであることを特徴とする装置。
【請求項３５】  請求項２７乃至３３の何れかに記載の装置において、前記電子データカードが、キャッシュカードであることを特徴とする装置。
【請求項３６】  請求項２７乃至３３の何れかに記載の装置において、前記電子データカードが、セキュリティカードであることを特徴とする装置。
【請求項３７】  請求項２７乃至３６の何れかに記載の装置において、前記無線リンクは低電力無線周波数リンクであることを特徴とするシステム。
【請求項３８】  第１のデバイスに関連する電子データカードを備える第２のデバイスと共に動作可能な第１のデバイスを提供するステップであって、前記第２のデバイスの前記電子データカードの情報が前記第１のデバイスにより使用およびアクセス可能であるステップと、
前記第２のデバイスの前記電子データカードの動作特性を前記第１のデバイスから無線リンクを介して制御するステップと、
を備えることを特徴とする方法。
【請求項３９】  請求項３８に記載の方法において、前記電子データカードの前記動作特性の制御が前記電子データカードへの電力供給の制御を含むことを特徴とする方法。
【請求項４０】  請求項３８または３９に記載の方法において、前記電子データカードの前記動作特性の制御が前記電子データカードの電源をオンにすることを含むことを特徴とする方法。
【請求項４１】  請求項３８乃至４０の何れかに記載の方法において、前記電子データカードの前記動作特性の制御が前記電子データカードの電源をオフにすることを含むことを特徴とする方法。
【請求項４２】  請求項３８乃至４１の何れかに記載の方法において、前記電子データカードの前記動作特性の制御が前記電子データカードをリセットすることを含むことを特徴とする方法。
【請求項４３】  請求項３８乃至４２の何れかに記載の方法において、前記電子データカードの前記動作特性の制御が前記第２のデバイスの前記電子データカードのクロック速度の変更を含むことを特徴とする方法。
【請求項４４】  請求項３８乃至４３の何れかに記載の方法において、前記電子データカードの前記動作特性の制御が前記第２のデバイスの前記電子データカードのボーレートの変更を含むことを特徴とする方法。
【請求項４５】  請求項３８乃至４４の何れかに記載の方法において、前記電子データカードが、加入者識別モジュール（ＳＩＭ）であることを特徴とする方法。
【請求項４６】  請求項３８乃至４４の何れかに記載の方法において、前記電子データカードが、キャッシュカードであることを特徴とする方法。
【請求項４７】  請求項３８乃至４４の何れかに記載の方法において、前記電子データカードが、セキュリティカードであることを特徴とする方法。
【請求項４８】  請求項３８乃至４７の何れかに記載の方法において、前記無線リンクが低電力無線周波数リンクであることを特徴とする方法。
【請求項４９】  自己に関連する電子データカードを備えた第１のデバイスを提供するステップであって、前記第１のデバイスは第２のデバイスと共に動作可能であり、前記第１のデバイスの前記電子データカードの情報は、前記第２のデバイスにより使用およびアクセス可能であるステップと、
前記第１のデバイスの前記電子データカードの動作特性が、前記第２のデバイスにより無線リンクを介して制御可能であるように前記第１のデバイスを構成するステップと、
を備えることを特徴とする方法。
【請求項５０】  請求項４９に記載の方法において、前記第１のデバイスが、前記第２のデバイスが前記第１のデバイスの前記電子データカードへの電力供給を制御するように構成されていることを特徴とする方法。
【請求項５１】  請求項４９または５０に記載の方法において、前記第１のデバイスが、前記第２のデバイスが前記第１のデバイスの前記電子データカードの電源をオンにするように構成されていることを特徴とする方法。
【請求項５２】  請求項４９乃至５１の何れかに記載の方法において、前記第１のデバイスが、前記第２のデバイスが前記第１のデバイスの前記電子データカードの電源をオフにするように構成されていることを特徴とする方法。
【請求項５３】  請求項４９乃至５２の何れかに記載の方法において、前記第１のデバイスが、前記第２のデバイスが前記第１のデバイスの前記電子データカードをリセットするように構成されていることを特徴とする方法。
【請求項５４】  請求項４９乃至５３の何れかに記載の方法において、前記第１のデバイスが、前記第２のデバイスが前記第１のデバイスの前記電子データカードのクロック速度を変更するように構成されていることを特徴とする方法。
【請求項５５】  請求項４９乃至５４の何れかに記載の方法において、前記第１のデバイスが、前記第２のデバイスが前記第１のデバイスの前記電子データカードのボーレートを変更するように構成されていることを特徴とする方法。
【請求項５６】  請求項４９乃至５５の何れかに記載の方法において、前記電子データカードが加入者識別モジュール（ＳＩＭ）カードであることを特徴とする方法。
【請求項５７】  請求項４９乃至５５の何れかに記載の方法において、前記電子データカードがキャッシュカードであることを特徴とする方法。
【請求項５８】  請求項４９乃至５５の何れかに記載の方法において、前記電子データカードがセキュリティカードであることを特徴とする方法。
【請求項５９】  請求項４９乃至５８の何れかに記載の方法において、前記無線リンクが低電力無線周波数リンクであることを特徴とする方法。
【請求項６０】  第１のデバイスに関連する電子データカードを備えた第２のデバイスと共に動作可能な第１のデバイスのプロセッサ上で実行されるとき、前記第２のデバイスの前記電子データカードの情報が前記第１のデバイスにより使用およびアクセス可能であるコンピュータプログラムであって、
前記第１のデバイスから無線リンクを介して前記第２のデバイスの前記電子データカードの動作特性を制御することを実行することを特徴とするコンピュータプログラム。
【請求項６１】  請求項６０に記載のコンピュータプログラムにおいて、前記電子データカードの前記動作特性の制御が前記電子データカードへの電源供給の制御を含むことを特徴とするコンピュータプログラム。
【請求項６２】  第１のデバイスに関連する電子データカードを備えた第２のデバイスと共に動作可能な第１のデバイスのプロセッサにより実行されるとき、前記第２のデバイスの前記電子データカードの情報が前記第１のデバイスにより使用およびアクセス可能であるコンピュータ読み取り可能な記憶媒体であって、
前記第１のデバイスから無線リンクを介して前記第２のデバイスの前記電子データカードの動作特性を制御することを実行する命令で符号化されたコンピュータ読み取り可能な記憶媒体。
【請求項６３】  請求項６２に記載のコンピュータ読み取り可能な記憶媒体において、前記電子データカードの前記動作特性の制御が前記電子データカードへの電源供給の制御を含むことを特徴とするコンピュータ読み取り可能な記憶媒体。
【請求項６４】  第１のデバイスに関連する電子データカードを備えた第１のデバイスのプロセッサ上で実行されるとき、前記第１のデバイスが前記第２のデバイスと共に動作可能であり、前記第１のデバイスの前記電子データカードの情報が前記第２のデバイスにより使用およびアクセス可能であり、
前記第１のデバイスの前記電子データカードの前記動作特性が前記第２のデバイスにより無線リンクを介して制御可能であるように前記第１のデバイスを構成することを特徴とするコンピュータプログラム。
【請求項６５】  請求項６４に記載のコンピュータプログラムにおいて、前記第１のデバイスが、前記第２のデバイスが前記第１のデバイスの前記電子データカードへの電力供給を制御するように構成されていることを特徴とするコンピュータプログラム。
【請求項６６】  第１のデバイスに関連する電子データカードを備えた第１のデバイスのプロセッサにより実行されるとき、前記第１のデバイスは是第２のデバイスと共に動作可能であり、前記第１のデバイスの前記電子データカードの情報は前記第２のデバイスにより使用およびアクセス可能であり、
前記第１のデバイスの前記電子データカードの前記動作特性が前記第２のデバイスにより無線リンクを介して制御可能であるように前記第１のデバイスを構成することを実行する命令で符号化されたコンピュータ読み取り可能な記憶媒体。
【請求項６７】  請求項６６に記載のコンピュータ読み取り可能な記憶媒体において、前記第１のデバイスが、前記第２のデバイスが前記第１のデバイスの前記電子データカードへの電力供給を制御するように構成されていることを特徴とするコンピュータ読み取り可能な記憶媒体。